(57)【要約】【課題】容積率により敷地面積に対して建てることができる住居数を増やすことができるようにして、買主側及び売主側の双方にとって有利となるような集合住宅の間取り構造及びその施工方法を提供する。【解決手段】専有領域に属する玄関部分や各部屋等１５ａが内部に配置された一戸分の住居１５が、他の住居や出入り口に通じる共有通路１１に沿って配置された集合住宅の間取り構造において、共有通路１１と玄関部分１５ｂとの間に、住居１５の専有領域に属しない共有領域に属する進入路部分１７が設けられ、進入路部分１７の面積が、玄関部分１５ｂの間口寸法の平方値のほぼ２倍から８倍の範囲内に設定されていること。【効果】容積率により建てることができる住居数を増やすことができるようにして、買主側及び売主側の双方にとって有利となる。【選択図】図１
2008121229.tif 000002
【特許請求の範囲】
【請求項１】
専有領域に属する玄関部分や各部屋等が内部に配置された一戸分の住居が、他の住居や出入り口に通じる共有通路に沿って配置された集合住宅の間取り構造において、
前記共有通路と前記玄関部分との間に、前記住居の専有領域に属しない共有領域に属する進入路部分が設けられ、
前記進入路部分の面積が、前記玄関部分の間口寸法の平方値のほぼ２倍から８倍の範囲内に設定されていることを特徴とする集合住宅の間取り構造。
【請求項２】
前記共有領域の一部が、前記進入路部分に隣接すると共に、前記共有通路と前記住居の前記玄関部分以外の部分との間に配置されていることを特徴とする請求項１に記載の集合住宅の間取り構造。
【請求項３】
前記共有領域の一部を構成する吹抜け部が、前記進入路部分に隣接すると共に、前記共有通路と前記住居の前記玄関部分以外の部分との間に配置されていることを特徴とする請求項２に記載の集合住宅の間取り構造。
【請求項４】
専有領域に属する玄関部分や各部屋等が内部に配置された一戸分の住居が、他の住居や出入り口に通じる共有通路に沿って配置された集合住宅の間取り構造の施工方法において、
前記住居の専有領域に設けることができる必ずしも不可欠なものではない領域の一部又は全部を、前記住居の専有領域に属しない共有領域の一部に置き換えて設けることを特徴とする集合住宅の間取り構造の施工方法。
【請求項５】
前記住居の専有領域に設けることができる廊下部分の一部又は全部を、前記共有領域の一部に置き換えて設けることを特徴とする請求項４に記載の集合住宅の間取り構造の施工方法。
【請求項６】
前記間取り構造の前記共有通路と前記玄関部分との間に、前記共有領域の一部を構成する進入路部分が設けられ、
前記住居の専有領域に設けることができる廊下部分の一部又は全部を、前記進入路部分の一部又は全部に置き換えて設けることを特徴とする請求項５に記載の集合住宅の間取り構造の施工方法。
【発明の詳細な説明】
【技術分野】
【０００１】
本発明は、複数戸数の住居が同じ場所に集まって建てられる集合住宅の間取り構造及びその施工方法に関するものである。
【背景技術】
【０００２】
従来の集合住宅の間取り構造としては、例えば、図４に示すようなものがある。同図において、１戸分の住居４５の間取り構造は、細かくは図示しないが、３ＬＤＫ、或は４ＬＤＫ等の間取り構造、すなわち、和室とか寝室、子供部屋等の、３つの部屋、或は４つの部屋と共に、居間（Ｌ，リビング・ルーム）、食堂（Ｄ，ダイニング・ルーム）、及び台所（Ｋ，キッチン・ルーム）等を備えているものが一般的であった。
【０００３】
また同図に示すように、住居４５は一般的に、他の住居や出入り口に通じる共有通路１１に沿って配置されている。
そして、住居４５の専有領域の観点から見ると、玄関部分４５ａや、廊下部分４５ｂは、上記３ＬＤＫ等を構成する各部屋等と共に、住居４５の専有領域の一部に含まれることは言うまでもない。
【０００４】
また、共有通路１１と玄関部分４５ａとの間には、玄関部分４５ａのドアを外側に向けて開いたときに、そのドアが共有通路１１の幅方向の全部又は一部を遮るように外側に突出するのを防止するために、玄関部分４５ａが共有通路１１から、少なくとも玄関部分４５ａのドアの幅寸法より大きく引っ込んで形成された、アルコーブ４７（小空間）が設けられている。このアルコーブ４７の領域は、住居４５内の各部屋等の領域と異なり、住居４５の専有領域に属しない、集合住宅の共有領域に属する部分となっている。
【発明の開示】
【発明が解決しようとする課題】
【０００５】
しかしながら、このような一般的な集合住宅の住居４５の間取り構造には、全く無駄が無かったわけではなく、例えば、そのような住居４５の間取り構造のほとんどには、各部屋の間に廊下部分が設けられている。この廊下部分は、集合住宅の住居４５にとって必ずしも不可欠な領域ではなく、住居４５の間取り構造を工夫することにより、それが無くとも不便ではないようにすることは必ずしも難しいことではない。
【０００６】
また集合住宅の住居の間取り構造の工夫次第では、廊下部分の他にも、それが住居４５にとって必ずしも不可欠なものではなく、それが無くとも不便ではないような領域はあり得る。
【０００７】
このような従来の集合住宅の住居４５の間取り構造において、必ずしも不可欠なものではない領域の存在は、それだけ集合住宅の１戸当たりの住居４５の販売価格を高騰させて、買主側にとっては集合住宅の住居を買い難くし、売主側にとってはそれを売り難くする原因となっている。
【０００８】
また、売主側にとっては、建築基準法に基づく容積率により、敷地面積に対して建てることができる住居数が地域毎に定められているので、集合住宅において建てることができる住居数を増やす上で限界があるため、集合住宅の１戸当たりの住居の販売価格を下げ難いという問題があった。
【０００９】
このように、地域毎に定められている容積率により、敷地面積に対して建てることができる住居数を増やす上で限界があると、多数の買主側にとっては多数の十分な住居の供給が受けられないと共に、売主側にとっては、建てることができる住居数を増やすことができないため、集合住宅の販売による売り上げや利益を増やすことができないという問題があった。
【００１０】
そこで本発明は、上記問題点に鑑みて、容積率により敷地面積に対して建てることができる住居数を増やすことができるようにして、買主側及び売主側の双方にとって有利となるような集合住宅の間取り構造及びその施工方法を提供することを課題とするものである。
【課題を解決するための手段】
【００１１】
上記課題を解決するために本発明は、
専有領域に属する玄関部分や各部屋等が内部に配置された一戸分の住居が、他の住居や出入り口に通じる共有通路に沿って配置された集合住宅の間取り構造において、
前記共有通路と前記玄関部分との間に、前記住居の専有領域に属しない共有領域に属する進入路部分が設けられ、
前記進入路部分の面積が、前記玄関部分の間口寸法の平方値のほぼ２倍から８倍の範囲内に設定されていることを特徴とするものである。
【００１２】
また、本発明の集合住宅の間取り構造は、前記共有領域の一部が、前記進入路部分に隣接すると共に、前記共有通路と前記住居の前記玄関部分以外の部分との間に配置されていることを特徴とするものである。
【００１３】
また、本発明の集合住宅の間取り構造は、前記共有領域の一部を構成する吹抜け部が、前記進入路部分に隣接すると共に、前記共有通路と前記住居の前記玄関部分以外の部分との間に配置されていることを特徴とするものである。
【００１４】
また、上記課題を解決するために本発明は、
専有領域に属する玄関部分や各部屋等が内部に配置された一戸分の住居が、他の住居や出入り口に通じる共有通路に沿って配置された集合住宅の間取り構造の施工方法において、
前記住居の専有領域に設けることができる必ずしも不可欠なものではない領域の一部又は全部を、前記住居の専有領域に属しない共有領域の一部に置き換えて設けることを特徴とするものである。  
【００１５】
また、本発明の集合住宅の間取り構造の施工方法は、前記住居の専有領域に設けることができる廊下部分の一部又は全部を、前記共有領域の一部に置き換えて設けることを特徴とするものである。
【００１６】
また、本発明の集合住宅の間取り構造の施工方法は、
前記間取り構造の前記共有通路と前記玄関部分との間に、前記共有領域の一部を構成する進入路部分が設けられ、
前記住居の専有領域に設けることができる廊下部分の一部又は全部を、前記進入路部分の一部又は全部に置き換えて設けることを特徴とするものである。
【発明の効果】
【００１７】
このような本発明によれば、
専有領域に属する玄関部分や各部屋等が内部に配置された一戸分の住居が、他の住居や出入り口に通じる共有通路に沿って配置された集合住宅の間取り構造において、
前記共有通路と前記玄関部分との間に、前記住居の専有領域に属しない共有領域に属する進入路部分が設けられ、
前記進入路部分の面積が、前記玄関部分の間口寸法の平方値のほぼ２倍から８倍の範囲内に設定されていることにより、
集合住宅の間取り構造を、容積率により敷地面積に対して建てることができる住居数を増やすことができるようにして、買主側及び売主側の双方にとって有利となるようにすることができる。
【００１８】
また、本発明の集合住宅の間取り構造によれば、前記共有領域の一部が、前記進入路部分に隣接すると共に、前記共有通路と前記住居の前記玄関部分以外の部分との間に配置されていることにより、集合住宅の間取り構造を、住民のプライバシーの保護程度を向上させたものにすることができる。
【００１９】
また、本発明の集合住宅の間取り構造によれば、前記共有領域の一部を構成する吹抜け部が、前記進入路部分に隣接すると共に、前記共有通路と前記住居の前記玄関部分以外の部分との間に配置されていることにより、やはり集合住宅の間取り構造を、住民のプライバシーの保護程度を向上させたものにすることができる。
【００２０】
また、本発明によれば、
専有領域に属する玄関部分や各部屋等が内部に配置された一戸分の住居が、他の住居や出入り口に通じる共有通路に沿って配置された集合住宅の間取り構造の施工方法において、
前記住居の専有領域に設けることができる必ずしも不可欠なものではない領域の一部又は全部を、前記住居の専有領域に属しない共有領域の一部に置き換えて設けることにより、
やはり集合住宅の間取構造を、容積率により敷地面積に対して建てることができる住居数を増やすことができるようにして、買主側及び売主側の双方にとって有利となるようにすることができる。
【００２１】
また、本発明の集合住宅の間取り構造の施工方法によれば、
前記住居の専有領域に設けることができる廊下部分の一部又は全部を、前記共有領域の一部に置き換えて設けることにより、
やはり集合住宅の間取構造を、容積率により敷地面積に対して建てることができる住居数を増やすことができるようにして、買主側及び売主側の双方にとって有利となるようにすることができる。
【００２２】
また、本発明の集合住宅の間取り構造の施工方法によれば、
前記間取り構造の前記共有通路と前記玄関部分との間に、前記共有領域の一部を構成する進入路部分が設けられ、
前記住居の専有領域に設けることができる廊下部分の一部又は全部を、前記進入路部分の一部又は全部に置き換えて設けることにより、
やはり集合住宅の間取構造を、容積率により敷地面積に対して建てることができる住居数を増やすことができるようにして、買主側及び売主側の双方にとって有利となるようにすることができる。
【発明を実施するための最良の形態】
【００２３】
以下、本発明による集合住宅の間取り構造及びその施工方法を実施するための最良の形態について、図面に基づいて具体的に説明する。
図１は、本発明の第１の実施の形態に係る集合住宅の間取り構造及びその施工方法について説明するために参照する図である。同図において、集合住宅の一戸分の住居１５は、他の住居や出入り口に通じる共有通路１１に沿って配置されている。
【００２４】
すなわち、住居１５は、共有通路１１に沿って形成されている矩形の外形輪郭Ｓ内に配置されている。そして、住居１５の大部分の領域１５ａ内には、和室とか寝室、子供部屋等の部屋が配置されていると共に、居間（リビング・ルーム）、食堂（ダイニング・ルーム）、及び台所（キッチン・ルーム）等が配置されている。
【００２５】
また、住居１５の玄関部分１５ｂは、共有通路１１から住居１５の奥の方（図中下方）に引っ込んで配置されているため、共有通路１１から玄関部分１５ｂまでの間には、玄関部分１５ｂの間口寸法と同様の寸法幅を有する進入路部分１７が設けられている。したがって、進入路部分１７は、玄関部分１５ｂのドアの外側に配置されて、共有通路１１に連続するように設けられている。
【００２６】
このような進入路部分１７の長さは、本実施の形態においては、玄関部分１５ｂの間口寸法の略３倍位に設定されている。このため、進入路部分１７の面積としても、玄関部分１５ｂの間口寸法の平方値の略３倍位に設定されている。
なお、この進入路部分１７の面積は、玄関部分１５ｂの間口寸法の平方値のほぼ２倍から８倍の範囲内であればどのような面積に設定してもよい。
【００２７】
また、このような住居１５には、前記従来の住居４５に設けられていた廊下部分４５ｂに相当する領域が設けられてはおらず、このような廊下部分に相当する領域が無くとも不便ではないように、住居１５全体の間取り構造が工夫がされているものとする。
【００２８】
すなわち、本実施の形態に係る進入路部分１７は、前記従来の住居４５の廊下部分４５ｂ（図４参照）の面積を削除して、その削除した分の面積を従来のアルコーブ４７の面積に加えて作ったものである。したがって、本実施の形態に係る進入路部分１７は、上記従来の廊下部分４５ｂと置き換えることにより形成したものである。
【００２９】
また、前記矩形の外形輪郭Ｓ内には、進入路部分１７の図中右側の側部に隣接すると共に、共有通路１１と、住居１５の玄関部分１５ｂ以外の、図中右側の部分との間に配置された、吹抜け部１８が設けられている。
【００３０】
このような住居１５の間取り構造においては、この住居１５がその内部に配置された矩形の外形輪郭Ｓ内に配置された、住民の所有に係る住居１５の専有領域に属する領域と、この専有領域に属しない、他の住民との共有に係る共有領域に属する領域の、２種類の領域に分けられる。
【００３１】
すなわち、外形輪郭Ｓ内の、大部分の領域１５ａと玄関部分１５ｂの領域は、住居１５の専有領域に属するものである。そして、進入路部分１７と吹抜け部１８は、住居１５の専有領域に属しない、他の住民との共有に係る共有領域に属するものである。
【００３２】
このため、住居１５内の大部分の領域１５ａと玄関部分１５ｂとを加えた、住居１５の専有領域の面積は、前記従来の住居４５内に廊下部分４５ｂがあったときの、従来の住居４５の専有領域の面積に比べて、従来の廊下部分４５ｂが本実施の形態に係る進入路部分１７に置き換えられた分だけ狭くなっている。
【００３３】
例えば、従来の住居４５内に廊下部分４５ｂがあったときの住居４５の専有領域が７５平方ｍ位であったとすると、本実施の形態に係る住居１５の専有領域は、従来の廊下部分４５ｂが進入路部分１７に置き換えられた分だけ狭くなって、６５平方ｍ位にすることができる。
【００３４】
このようにして、１戸当たりの住居１５の専有領域の面積が狭くなって、その狭くなった面積の分だけ共有領域が増えると、その１戸当たりの狭くなった分の面積が寄せ集まって、新たな住居１５をいくつか作ることが可能となる。それは、建築基準法における容積率により敷地面積に対して建てることができる住居数を増やすことができるようになるからである。
【００３５】
したがって、本発明の第１の実施の形態に係る集合住宅の間取り構造及びその施工方法によれば、住居１５内の専有領域に作ろうと思えば作ることができる廊下部分を作らないことにより、その作らない廊下部分に相当する面積を住居１５の専有領域から減らすことができる。
【００３６】
そして、その減らした面積の分を従来のアルコーブの面積に加えて、作らないことにした廊下部分に相当する面積と置き換えて進入路部分１７を作ることにより、共有領域の面積を増やすことができるので、容積率により敷地面積に対して建てることができる住居数を増やすことができることになる。
【００３７】
このため、集合住宅の１戸当たりの住居１５の販売価格を安くすることが可能となるので、買主側にとっては集合住宅の住居１５が買い易くなると共に、売主側にとっては集合住宅の住居１５を売り易くすることができる。
【００３８】
また、建築基準法における容積率により建てることができる住居数を増やすことができるため、多数の買主側にとっては多数の住居の十分な供給が受け易くなると共に、売主側にとっては、同じ敷地面積であるにもかかわらず売れる住居数を増やすことができるので、売り上げや利益を著しく増大させることができる。
【００３９】
しかも、売主側にとっては、１戸当たりの住居１５の専有領域の面積が減るので、その住居の販売価格を、専有領域の面積が減らないときの販売価格より安くして売ってもよいが、住居１５の、共有領域を含めた外形輪郭Ｓの総面積は変わらないので、専有領域の面積が減らないときと同じ販売価格で売ってもよいため、売り方の選択肢が増える。
【００４０】
以上説明したように、本発明の第１の実施の形態に係る集合住宅の間取り構造及びその施工方法によれば、集合住宅の買主側及び売主側の双方にとって有利となる。
【００４１】
また、本発明の第１の実施の形態に係る集合住宅の間取り構造によれば、進入路部分１７に隣接すると共に、共有通路１１と住居１５との間に吹抜け部１８が設けられているため、住民のプライバシーの保護を向上させることができる。
【００４２】
図２は、本発明の第２の実施の形態に係る集合住宅の間取り構造及びその施工方法について説明するために参照する図である。
【００４３】
前記第１の実施の形態においては、進入路部分１７の一方の側部に隣接すると共に、共有通路１１と、住居１５の玄関部分１５ｂ以外の１つの部分との間に挟まれて配置された、吹抜け部１８が１つだけ設けられていたのに対し、この第２の実施の形態においては、進入路部分１７の両方の側部（図２中左右両方の側部）のそれぞれに隣接すると共に、共有通路１１と、住居２５の玄関部分２５ｂ以外の２つの部分との間に挟まれて配置された、２つの吹抜け部１８が設けられている点において異なるものである。
【００４４】
また、住居２５に属する専有領域の大部分の領域２５ａとしては、和室とか寝室、子供部屋等と共に、居間、食堂、及び台所等が配置されている点は、前記第１の実施の形態における住居１５の大部分の領域１５ａと同様である。そしてやはり、玄関部分２５ｂも上記大部分の領域２５ａと共に住居２５の専有領域に属するものである点も、前記第１の実施の形態と同様である。
【００４５】
このような本発明の第２の実施の形態によっても、前記第１の実施の形態と同様に、住居２５内の専有領域に作ろうと思えば作ることができる廊下部分を作らないことにより、その作らない廊下部分に相当する面積を住居２５の専有領域から減らすことができる。
【００４６】
そして、その減らした面積の分を従来のアルコーブの面積に加えて、作らないことにした廊下部分に相当する面積と置き換えて進入路部分１７を作ることにより、共有領域の面積を増やすことができるので、容積率により敷地面積に対して建てることができる住居数を増やすことができることになる。
【００４７】
このため、集合住宅の１戸当たりの住居２５の販売価格を安くすることが可能となるので、買主側にとっては集合住宅の住居２５が買い易くなると共に、売主側にとっては集合住宅の住居２５を売り易くすることができる。
【００４８】
したがって、本発明の第２の実施の形態に係る集合住宅の間取り構造及びその施工方法は、前記第１の実施の形態と同様の効果を有することができるので、やはり集合住宅の買主側及び売主側の双方にとって有利となる。
【００４９】
また、本発明の第２の実施の形態に係る集合住宅の間取り構造によれば、進入路部分１７の両方の側部のそれぞれに隣接すると共に、共有通路１１と住居２５との間に挟まれる２つの吹抜け部１８が設けられているため、住民のプライバシーの保護を、前記第１の実施の形態における場合よりもさらに向上させることができる。
【００５０】
図３は、本発明の第３の実施の形態に係る集合住宅の間取り構造及びその施工方法について説明するために参照する図である。
【００５１】
前記第１、第２の実施の形態においては、共有通路１１と住居１５，２５との間に挟まれて配置された吹抜け部１８が設けられていたのに対し、この第３の実施の形態においては、共有通路１１と住居３５との間に挟まれて配置されるような吹抜け部が設けられていない点において異なるものである。
【００５２】
また、住居３５の専有領域に属する大部分の領域３５ａとしては、やはり和室とか寝室、子供部屋等と共に、居間、食堂、及び台所等が配置されている点は、前記第１、第２の実施の形態における、住居１５，２５の大部分の領域１５ａ，２５ａと同様である。
【００５３】
そしてやはり、玄関部分３５ｂも上記大部分の領域３５ａと共に住居３５の専有領域に属するものである点も、前記第１、第２の実施の形態と同様である。また、共有通路１１と玄関部分３５ｂとの間に共有領域の進入路部分１７が形成されていることも、前記第１、第２の実施の形態と同様である。
【００５４】
このような本発明の第３の実施の形態によっても、容積率により敷地面積に対して建てることができる住居数を増やすことができるので、前記第１、第２の実施の形態と同様の効果を有することができて、やはり集合住宅の買主側及び売主側の双方にとって有利となる。
【００５５】
なお、前記第１の実施の形態においては、共有領域の進入路部分１７を玄関部分１５ｂの間口方向に対して垂直方向に伸びるように配置したが、進入路部分１７は玄関部分１５ｂの間口方向と平行方向に伸びるように配置してもよい。またこの場合は、進入路部分１７の、玄関部分１５ｂの間口から遠い方の部分を、進入路部分１７と同じ共有領域である吹抜け部に置き換えてもよい。
【００５６】
また、前記実施の形態においては、玄関部分１５ｂの間口寸法と同様の寸法幅を有する進入路部分１７が設けられていたが、進入路部分１７は、玄関部分１５ｂの間口寸法より大きい寸法の幅を有するように形成してもよい。
【００５７】
また、前記実施の形態においては、進入路部分１７の平面形状が長方形の場合について説明したが、進入路部分１７の平面形状は、正方形に近い形状、或はその他のどのような形状に形成してもよい。
【００５８】
また、前記第１の実施の形態においては、住居１５に不可欠でない廊下部分を作らないことにより、その面積の分だけ共有領域の進入路部分１７の面積を増やすようにしたが、廊下部分以外の、住居１５に不可欠でない部分を作らないで、その分の面積を進入路部分１７の面積に置き換えることにより共有領域の面積を増やして、このことにより、容積率により敷地面積に対して建てることができる住居数を増やすことができるようにしてもよい。
【００５９】
或は住居１５内の専有領域に、廊下部分と、それ以外の住居１５に不可欠でない部分の、両方を作らないで、それら両方の分の面積を進入路部分１７の面積に置き換えることにより共有領域の面積を増やして、このことにより、容積率により敷地面積に対して建てることができる住居数を増やすことができるようにしてもよい。
【００６０】
また、前記第１の実施の形態においては、廊下部分等の住居１５にとって不可欠でない部分の面積を専有領域から減らして、その面積の分だけ共有領域の進入路部分１７の面積を増やすようにしたが、進入路部分１７の代わりに、吹抜け部１８又はその他の共有領域の面積を増やすようにしてもよい。
【００６１】
或は、廊下部分等の住居１５にとって不可欠でない部分の面積を専有領域から減らして、その面積の分だけ共有領域の進入路部分１７の面積を増やすだけでなく、進入路部分１７と共に、吹抜け部１８又はその他の共有領域の面積を増やすようにしてもよい。
【００６２】
また、前記実施の形態においては、前記従来の住居４５内にあった廊下部分４５ｂを全部進入路部分１７に置き換えたような場合について説明したが、前記従来の住居４５内にあった廊下部分４５ｂの一部のみを進入路部分１７の一部又は全部に置き換えて、前記従来の住居４５内にあった廊下部分４５ｂの他の一部を、本実施の形態に係る住居１５の専有領域内に形成するようにしてもよい。
【００６３】
また、前記第１、第２の実施の形態においては、共有通路１１と住居１５との間に吹抜け部１８を設けたが、共有通路１１と住居１５との間には、吹抜け部１８の代わりに、或は吹抜け部１８と共に、他のどのような共有領域を設けてもよい。
【図面の簡単な説明】
【００６４】
【図１】本発明の第１の実施の形態に係る集合住宅の住居１５の間取り構造を示すその平面図である。
【図２】本発明の第２の実施の形態に係る集合住宅の住居２５の間取り構造を示すその平面図である。
【図３】本発明の第３の実施の形態に係る集合住宅の住居３５の間取り構造を示すその平面図である。
【図４】従来の集合住宅の住居４５の間取り構造を示すその平面図である。
【符号の説明】
【００６５】
１１  共有通路
１５  住居
１５ａ  大部分の領域
１５ｂ  玄関部分
１７  進入路部分
１８  吹抜け部
２５  住居
２５ａ  大部分の領域
２５ｂ  玄関部分
３５  住居
３５ａ  大部分の領域
３５ｂ  玄関部分
４５  住居
４５ａ  玄関部分
４５ｂ  廊下部分
４７  アルコーブ
Ｓ  外形輪郭  
【図１】
2008121229.tif 000003
【図２】
2008121229.tif 000004
【図３】
2008121229.tif 000005
【図４】
2008121229.tif 000006